(57)【要約】【課題】電線と端子の接続部分における防食処理に関して、意図しない範囲にまで防食剤が広がることを容易に抑制する技術を提供する。【解決手段】端子２０の芯線圧着部２４を電線１２の端部の露出芯線部１４ａに圧着し、端子２０の被覆圧着部２６を電線１２の被覆１８に圧着した防食処理前の端子付電線１０Ｂを準備する（工程(a)）。次に、露出芯線部１４ａのうち芯線圧着部２４から露出する露出表面部分Ｑを含む防食対象領域４０Ａの少なくとも一部に、流動状態である光硬化性の防食剤を供給する（工程(b)）。工程(b)において、防食対象領域４０Ａの端部４３、端子２０における防食対象領域４０Ａの外側の部分５３、またはその双方に、防食剤を硬化させるスリット光５１を照射する（工程(c)）。【選択図】図６
2015153717.tif 000002
【特許請求の範囲】
【請求項１】
電線と端子との接続部分に防食処理が施された端子付電線の製造方法であって、
(a)前記端子の芯線圧着部が前記電線の端部の露出芯線部に圧着されると共に、前記端子の被覆圧着部が前記電線の被覆に圧着されることにより、前記電線と前記端子とが接続されたものを準備する工程と、
(b)前記露出芯線部のうち前記芯線圧着部から露出する露出表面部分を含む防食対象領域の少なくとも一部に、流動状態である光硬化性の防食剤を供給する工程と、
(c)前記工程(b)において、前記防食対象領域の端部、前記端子における前記防食対象領域の外側の部分、またはその双方に、前記防食剤を硬化させる光を照射する工程と、
を含む、端子付電線の製造方法。
【請求項２】
請求項１に記載の端子付電線の製造方法であって、
前記端子は、相手側端子と接触するコンタクト部を備えており、
前記工程(c)は、前記光を前記端子における前記コンタクト部と前記防食対象領域との間の部分に照射する工程を含む、
端子付電線の製造方法。
【請求項３】
請求項１または２に記載の端子付電線の製造方法であって、
前記光が、スリット光である、端子付電線の製造方法。
【請求項４】
請求項１から３のいずれか１項に記載の端子付電線の製造方法であって、
前記工程(c)は、
前記光を光源から放射状に出射する工程と、
前記光源から出射された光のうち、前記防食対象領域へ照射される光を遮光板によって遮る工程と、
を含む、端子付電線の製造方法。
【発明の詳細な説明】
【技術分野】
【０００１】
この発明は、自動車向けワイヤーハーネス等に用いられる端子付電線であって、特に、電線と端子との接続部分に防食処理を施す技術に関する。
【背景技術】
【０００２】
ワイヤーハーネスの電線の導体としてアルミニウムを使用する際に、電線と電気機器とを接続するための端子の材質として、銅等の、アルミニウム以外のものを使用する場合がある。ここで、アルミニウム導体に、銅等の異種金属が接触し、この部分に塩水等の電解液が付着すると、異種金属接触腐食が発生し得る。これを防止するために、導体と端子との接続部分に電解液が付着しないようにする処理（以下では、「防食処理」と記載する）がなされる。
【０００３】
防食処理に関する技術が、特許文献１に開示されている。
【０００４】
特許文献１に記載の端子付電線は、端子と電線の導体とが異種金属からなり、端子の導体かしめ部を電線端部の導体に圧着し、前記端子の絶縁被覆かしめ部を電線端部の絶縁被覆に圧着して構成されている。このような電線と端子の接続部において、絶縁被覆かしめ部と導体かしめ部の間の導体露出部分及び導体かしめ部の先端側の導体露出部分にそれぞれ樹脂を塗布して硬化させる。これによって、導体露出部分を樹脂で覆う点が開示されている。
【先行技術文献】
【特許文献】
【０００５】
【特許文献１】特開２０１０−１０８７９８号公報
【発明の概要】
【発明が解決しようとする課題】
【０００６】
しかしながら、従来技術では、防食剤として流動状態の樹脂を塗布して硬化させている。このため、流動状態の樹脂が、意図しない範囲にまで広がる虞がある。これを防ぐためには、例えば、塗布する位置または塗布する樹脂量を調整することが必要とされる。このため、意図しない範囲に防食剤が広がることを容易に抑制する技術が要求されていた。
【０００７】
そこで、本発明は、電線と端子の接続部分における防食処理に関して、意図しない範囲にまで防食剤が広がることを容易に抑制する技術を提供することを目的とする。
【課題を解決するための手段】
【０００８】
上記の課題を解決するため、第１の態様は、電線と端子との接続部分に防食処理が施された端子付電線の製造方法であって、(a)前記端子の芯線圧着部が前記電線の端部の露出芯線部に圧着されると共に、前記端子の被覆圧着部が前記電線の被覆に圧着されることにより、前記電線と前記端子とが接続されたものを準備する工程と、(b)前記露出芯線部のうち前記芯線圧着部から露出する露出表面部分を含む防食対象領域の少なくとも一部に、流動状態である光硬化性の防食剤を供給する工程と、(c)前記工程(b)において、前記防食対象領域の端部、前記端子における前記防食対象領域の外側の部分、またはその双方に、前記防食剤を硬化させる光を照射する工程とを含む。
【０００９】
また、第２の態様は、第１の態様に係る端子付電線の製造方法であって、前記端子は、相手側端子と接触するコンタクト部を備えており、前記工程(c)は、前記光を前記端子における前記コンタクト部と前記防食対象領域との間の部分に照射する工程を含む。
【００１０】
また、第３の態様は、第１または第２の態様に係る端子付電線の製造方法であって、前記光が、スリット光である。
【００１１】
また、第４の態様は、第１から第３のいずれか１態様に係る端子付電線の製造方法であって、前記工程(c)は、前記光を光源から放射状に出射する工程と、前記光源から出射された光のうち、前記防食対象領域へ照射される光を遮光板によって遮る工程とを含む。
【発明の効果】
【００１２】
第１から第４の態様に係る端子付電線の製造方法によると、防食対象領域の外側に広がる流動状態の防食剤を、光によって硬化させることができる。これによって、防食剤が意図しない範囲に広がることを容易に抑制できる。
【００１３】
第２の態様に係る端子付電線の製造方法によると、コンタクト部に防食剤が流れ込むことを抑制できる。これによって、コンタクト部の電気的接続性能が低下することを抑制できる。
【００１４】
第３の態様に係る端子付電線の製造方法によると、スリット光によって局所的に光を照射することができる。このため、塗布された防食剤が防食対象領域にて広がる前に硬化してしまうことを容易に防止できる。
【００１５】
第４の態様に係る端子付電線の製造方法によると、広い範囲に光を照射できる。このため、防食剤を硬化させてその広がりを抑制する領域を容易に広げることができる。
【図面の簡単な説明】
【００１６】
【図１】第１実施形態に係る端子付電線を示す概略側面図である。
【図２】第１実施形態に係る端子付電線を示す概略平面図である。
【図３】第１実施形態に係る端子を示す概略斜視図である。
【図４】防食処理が施される前の端子付電線を示す概略平面図である。
【図５】防食剤が塗布される端子付電線を示す概略側面図である。
【図６】防食剤が塗布される端子付電線を示す概略平面図である。
【図７】第２実施形態に係る防食剤が塗布される端子付電線を示す概略側面図である。
【発明を実施するための形態】
【００１７】
以下、添付の図面を参照しながら、本発明の実施形態について説明する。なお、図面においては、理解容易のため、必要に応じて各部の寸法や数が誇張または簡略化して図示されている場合がある。また、以下の実施形態は、本発明を具体化した一例であり、本発明の技術的範囲を限定する事例ではない。
【００１８】
＜１．第１実施形態＞
図１は、第１実施形態に係る端子付電線１０を示す概略側面図である。また、図２は、第１実施形態に係る端子付電線１０を示す概略平面図である。さらに、図３は、第１実施形態に係る端子２０を示す概略斜視図である。
【００１９】
この端子付電線１０は、電線１２と、端子２０と、防食被膜４０とを備える。
【００２０】
電線１２は、芯線１４と、芯線１４を覆う被覆１８とを備える。芯線１４は、線状の導体であり、ここでは、複数の素線が撚り合わされることによって芯線１４が形成されている。被覆１８は、樹脂等の絶縁材料によって形成されている。被覆１８は、例えば、芯線１４の周りに軟化した樹脂を押出被覆等することによって形成される。
【００２１】
また、電線１２の端部では、所定長の被覆１８が芯線１４から皮剥されている。これにより、電線１２の端部に、芯線１４が所定長に亘って露出する露出芯線部１４ａが設けられる。
【００２２】
端子２０は、導電性板材である金属板材をプレス加工等することにより形成された部材であり、相手側の電気的接続要素としての相手側端子８０と直接接触するコンタクト部３０とそのコンタクト部３０と繋がる電線保持部２２とを備える。
【００２３】
電線保持部２２は、先端側連結部２３、芯線圧着部２４、中間連結部２５及び被覆圧着部２６を備える。これらの先端側連結部２３、芯線圧着部２４、中間連結部２５及び被覆圧着部２６は、直線方向に沿って一列に並んで形成されている。なお、本実施形態では、本端子２０において、コンタクト部３０側を端子２０の先端側、電線保持部２２側を端子２０の基端側として説明する。
【００２４】
被覆圧着部２６は、かしめられることによって、電線１２の被覆１８の端部に圧着される部分である。被覆圧着部２６は、底板部２６ａと、その底板部２６ａの両側に立設されて対向する一対の被覆圧着片２６ｂ、２６ｂとを備えている。ここでは、一対の被覆圧着片２６ｂ、２６ｂのうち端子２０の先端側の縁部は、各被覆圧着片２６ｂの立設方向先端側に向けて端子２０の基端側に傾斜する形状に形成されている。
【００２５】
中間連結部２５は、被覆圧着部２６と芯線圧着部２４とを繋ぐ部分である。中間連結部２５は、底板部２５ａと、その底板部２５ａの両側に立設されて対向する一対の側壁部２５ｂ、２５ｂとを備える。
【００２６】
芯線圧着部２４は、かしめられることによって、露出芯線部１４ａに圧着される部分である。芯線圧着部２４は、底板部２４ａと、その底板部２４ａの両側に立設されて対向する一対の芯線圧着片２４ｂ、２４ｂとを備える。
【００２７】
なお、本実施形態では、一対の被覆圧着片２６ｂ、２６ｂが対向する方向が幅方向であるとして説明する。また、底板部２４ａに対して一対の芯線圧着片２４ｂが立設された方向が高さ方向であるとして説明する。
【００２８】
先端側連結部２３は、芯線圧着部２４とコンタクト部３０とを繋ぐ部分である。先端側連結部２３は、底板部２３ａと、その底板部２３ａの両側に立設されて対向する一対の側壁部２３ｂ、２３ｂとを備える。
【００２９】
電線保持部２２における各底板部２３ａ、２４ａ、２５ａ、２６ａは、全体として板状に連なる形状に形成されている。また、電線保持部２２における幅方向の一方側の側壁部２３ｂ、芯線圧着片２４ｂ、側壁部２５ｂ、被覆圧着片２６ｂは、全体として板状に連なる形状に形成されている。同様に、電線保持部２２における幅方向の他方側の側壁部２３ｂ、芯線圧着片２４ｂ、側壁部２５ｂ、被覆圧着片２６ｂも、全体として板状に連なる形状に形成されている。また、電線１２に対してかしめられる（曲げられる）部分である被覆圧着部２６の被覆圧着片２６ｂ、２６ｂ及び芯線圧着部２４の芯線圧着片２４ｂ、２４ｂは、中間連結部２５及び先端側連結部２３の各々の側壁部２５ｂ、２５ｂ、２３ｂ、２３ｂよりも高さ方向において長く形成されている。
【００３０】
また、コンタクト部３０は、相手側の電気的接続要素としての相手側端子８０と直接接触し、相手側端子８０に接続される部分（端子接続部）である。コンタクト部３０は、相手側端子８０が嵌め入れられる孔である端子挿入孔３２が形成された筒状の部分である。本実施形態では、コンタクト部３０は、角筒状に形成されており、内部に相手側端子８０と接触して弾性変形する接触片３３が設けられている。
【００３１】
ここでは、コンタクト部３０が筒形状の端子形状（いわゆるメス端子形状）に形成された例で説明するが、コンタクト部は、細長棒状又は細長板状の端子形状（いわゆるオス端子形状）を含む適宜の形状に形成されていてもよい。
【００３２】
上記端子２０は次のようにして電線１２の端部に接続されている。すなわち、被覆１８の端部が被覆圧着部２６における一対の被覆圧着片２６ｂ、２６ｂの間に位置し、露出芯線部１４ａが芯線圧着部２４における一対の芯線圧着片２４ｂ、２４ｂの間に位置するように配置される。この状態で、被覆圧着部２６の被覆圧着片２６ｂ、２６ｂは、底板部２６ａ上の被覆１８側（内側）へ曲げられる（かしめられる）。さらに、芯線圧着部２４の芯線圧着片２４ｂ、２４ｂは、底板部２４ａ上の露出芯線部１４ａ側（内側）へ曲げられる（かしめられる）。これにより、被覆圧着部２６において、底板部２６ａと２つの被覆圧着片２６ｂ、２６ｂとが被覆１８の端部に圧着された状態でこれを保持し、芯線圧着部２４において、底板部２４ａと２つの芯線圧着片２４ｂ、２４ｂとが露出芯線部１４ａに圧着された状態でこれを保持する。
【００３３】
ここで、電線１２の芯線１４（素線）と、端子２０とは、異種の金属によって構成されている。例えば、芯線１４は、アルミニウム又はアルミニウムを主成分とするアルミニウム合金によって構成されている。一方、端子２０は、銅若しくは銅を主成分とする銅合金（黄銅等）によって構成された部材、あるいはそれらの部材に錫（Ｓｎ）メッキ若しくは錫に銀（Ａｇ）、銅（Ｃｕ）、ビスマス（Ｂｉ）などが添加された錫合金のメッキが施された部材である。従って、芯線１４と端子２０との接続部分では、異種金属が接触した状態となっており、この部分に塩水等の電解液が付着すると、異種金属接触腐食が発生し得る。
【００３４】
また、端子２０と電線１２との接続部分では、露出芯線部１４ａは次の各部で外部に露出している。すなわち、芯線圧着部２４と被覆圧着部２６との間で、露出芯線部１４ａの基端側部分Ｑ１が露出している。また、芯線圧着部２４とコンタクト部３０との間で、露出芯線部１４ａの先端側部分Ｑ３が露出している。さらに、芯線圧着部２４の一対の芯線圧着片２４ｂが露出芯線部１４ａにかしめられた状態で、一対の芯線圧着片２４ｂ、２４ｂの先端部間に隙間が生じ得る。このため、この一対の芯線圧着片２４ｂ、２４ｂの間で露出芯線部１４ａの中間部分Ｑ２が露出し得る。すなわち、上記部分Ｑ１、Ｑ２、Ｑ３の各表面が、露出芯線部１４ａのうち芯線圧着部２４から露出する露出表面部分Ｑである。
【００３５】
そこで、防食処理前の端子付電線１０のうち上記露出表面部分Ｑを含む領域を防食対象領域４０Ａとし、この防食対象領域４０Ａに防食被膜４０を形成している。本実施形態では、防食対象領域４０Ａは、上記露出表面部分Ｑと、端子２０のうち露出表面部分Ｑを囲む周縁部分とからなる領域として想定されている。端子２０のうち露出表面部分Ｑを囲む部分は、具体的には、先端側連結部２３のうち先端側部分Ｑ３の両側及び先端側部分と、芯線圧着部２４のうち中間部分Ｑ２の両側部分と、中間連結部２５及び被覆圧着部２６のうち基端側部分Ｑ１を囲む部分である。
【００３６】
ここでは、流動状態の防食剤を上記防食対象領域４０Ａの少なくとも一部に供給する。
そして、流動状態の防食剤を、自然発生的に、又は、へら若しくは型等を用いて人工的に、防食対象領域４０Ａの全体に広げる。その後、その流動状態の防食剤を、硬化させて防食被膜４０を形成する。すると、それらの各部分Ｑ１、Ｑ２、Ｑ３を含む露出表面部分Ｑ及びその周縁部が防食被膜４０で被覆される。このため、端子２０と電線１２との接続部分に電解液が付着したとしても、当該電解液が、露出芯線部１４ａに接することを抑制できる。したがって、異種金属に対して電解液が付着した状態となることが抑制され、もって、異種金属接触腐食が抑制される。なお、ここでは、防食被膜４０は、透明又は半透明であるが、これは必須ではない。また、防食剤は、本来想定された防食対象領域４０Ａからさらに広がっていてもよい。もっとも、防食剤が電線保持部２２の表面上に広がる領域はなるべく小さいことが好ましい。
【００３７】
詳細は後述するが、本実施形態では、流動状態の防食剤を塗布する際に、所定の領域に対して防食剤を硬化させる光を照射する。これによって、防食剤が意図しない範囲にまで広がることを抑制している。
【００３８】
＜端子付電線の製造方法の全体に関する説明＞
端子付電線１０の製造方法は、防食処理が施される前の端子付電線１０Ｂ（図４参照）を準備する工程(a)と、流動状態の防食剤を、端子付電線１０Ｂに供給する防食剤供給工程(b)と、防食剤供給工程(b)において、防食剤を硬化させる光を照射する光照射工程(c)と、流動状態の防食剤を硬化させる防食剤硬化工程(d)とを含む。
【００３９】
図４は、防食処理が施される前の端子付電線１０Ｂを示す概略平面図である。工程(a)における、防食処理が施される前の端子付電線１０Ｂは、図４に示すように、端子２０の芯線圧着部２４が電線１２の露出芯線部１４ａに圧着されると共に、端子２０の被覆圧着部２６が電線１２の被覆１８に圧着されることにより、電線１２と端子２０とが接続された構成とされている。
【００４０】
防食剤供給工程(b)では、露出芯線部１４ａのうち芯線圧着部２４から露出する露出表面部分Ｑを含む防食対象領域４０Ａの少なくとも一部に流動状態の防食剤を供給する。流動状態の防食剤は、点状に供給されてもよいし、線状に供給されてもよいし、ある程度の広がりの面状領域に供給されてもよい。ここでは、防食剤として、光（紫外線を含む光等）によって硬化する光硬化性のものが用いられる。
【００４１】
光照射工程(c)では、防食剤供給工程(b)において、防食対象領域４０Ａの端部、端子２０における防食対象領域４０Ａの外側の部分、またはその双方に、防食剤を硬化させる光を照射する。詳細については、後述する。
【００４２】
防食剤硬化工程(d)では、防食剤供給工程(b)にて端子付電線１０Ｂに塗布された流動状態の防食剤全体に光を照射する。これによって、流動状態の防食剤を硬化させる。このようにして、上記防食被膜４０が形成された端子付電線１０が製造される。
【００４３】
＜防食剤供給工程(b)＞
防食剤供給工程(b)では、流動状態の防食剤を、防食対象領域４０Ａの少なくとも一部に供給する。ここでは、流動状態の防食剤を、防食対象領域４０Ａの表面の複数箇所に点状に供給する。
【００４４】
図５は、防食剤が塗布される端子付電線１０Ｂを示す概略側面図である。また、図６は、防食剤が塗布される端子付電線１０Ｂを示す概略平面図である。なお、図６は、防食剤の供給点の一例を示している。
【００４５】
流動状態の防食剤の供給は、例えば、流動状態の防食剤を点状に供給可能な装置を用いて行われる。かかる装置としては、ディスペンサ９０を用いることが好ましい。ディスペンサ９０は、液体収容部９２に向けて気体をパルス状に送込むことによって、液体収容部９２内に収容された液体をニードル９４の先端部からパルス状に吐出させる装置である。パルス状に送込まれる気体の圧力及び加圧時間を制御することによって、防食剤を供給する各点状箇所における、防食剤の供給速度及び供給時間を制御し、もって、防食剤の供給量を制御することができる。
【００４６】
流動状態の防食剤を供給する工程は、露出芯線部１４ａのうち芯線圧着部２４に対して被覆圧着部２６側に露出する基端側部分Ｑ１若しくはその周縁部に流動状態の防食剤を供給する工程(b1)と、芯線圧着部２４の一対の芯線圧着片２４ｂ間の部分Ｑ２若しくはその周縁部に流動状態の防食剤を供給する工程(b2)と、露出芯線部１４ａのうち芯線圧着部２４に対して被覆圧着部２６とは反対側に露出する先端側部分Ｑ３若しくはその周縁部に流動状態の防食剤を供給する工程(b3)とを含む。ここでは、上記工程(b1)、(b2)、(b3)の全てにおいて、流動状態の防食剤が点状に供給されている。
【００４７】
各箇所での塗布量及び全ての塗布量は、その防食剤が防食対象領域４０Ａからはみ出る量がなるべく少なくなるように設定されることが好ましい。上記ディスペンサ９０を用いることで、防食剤の供給量を適切な量とするように容易に調整できる。
【００４８】
図６では、被覆圧着部２６の一対の被覆圧着片２６ｂの先端部の間の点Ｐ１で、流動状態の防食剤が点状に供給される。また、露出芯線部１４ａの基端側部分Ｑ１に対して、その基端部よりの供給点Ｐ２（露出芯線部１４ａと被覆１８との境界線上の点）及び先端部よりの供給点Ｐ３〜Ｐ７で、流動状態の防食剤がその幅方向にも散在するように点状に供給される（工程(b1)）。また、芯線圧着部２４の一対の芯線圧着片２４ｂ間の部分Ｑ２に対して、基端部よりの供給点Ｐ８で、流動状態の防食剤が点状に供給される（工程(b2)）。また、露出芯線部１４ａの先端側部分Ｑ３に対して、供給点Ｐ９〜Ｐ１１の位置で流動状態の防食剤がその幅方向にも散在するように点状に供給される（工程(b3)）。また、ここでは、露出芯線部１４ａよりも先端側の位置でも、先端側連結部２３の底板部２３ａに対して各供給点Ｐ１２〜Ｐ１４で流動状態の防食剤が点状に供給されている。
【００４９】
なお、上記ニードル９４は、３軸方向の移動機構装置９８等によって、電線保持部２２の延在方向、幅方向及び高さ方向に移動駆動可能に支持され、上記各供給点Ｐ１〜Ｐ１４に応じた所定の位置データに従って、供給位置が制御されつつ移動駆動されることが好ましい。もっとも、ニードル９４の移動は、作業者による人手によって行われてもよい。
【００５０】
このように、流動状態の防食剤は、主として部分Ｑ１、Ｑ２、Ｑ３に対して点状に供給されるが、その他の部分に対して点状に供給されてもよい。ここでも、被覆圧着部２６の一対の被覆圧着片２６ｂ、２６ｂにおける各先端部の間の供給点Ｐ１、及び、露出芯線部１４ａよりも先端側の供給点Ｐ１２〜Ｐ１４において、先端側連結部２３の底板部２３ａに対して、流動状態の防食剤が点状に供給される。
【００５１】
もっとも、一対の被覆圧着片２６ｂのうち、その周縁部を除く中央領域及び一対の芯線圧着片２４ｂのうちその周縁部を除く中央領域、各底板部２３ａ、２４ａ、２５ａ、２６ａの外面側には、防食剤が供給されないことが好ましい。また、電線保持部２２の延在方向において露出芯線部１４ａが存在する範囲では、上記部分Ｑ１、Ｑ２、Ｑ３のみ（その境界線上を含む）に対して防食剤が点状に供給されることが好ましい。
【００５２】
部分Ｑ１、Ｑ２、Ｑ３に対して流動状態の防食剤が供給されるため、電線１２と端子２０との接続部分において、露出芯線部１４ａの露出部分を防食剤による被膜によって覆うことができる。これによって、電解液が異種金属に跨った状態で付着するといった事態が抑制され、必要とされる防食性能を満たすことができる。また、主としてそれらの各部分Ｑ１、Ｑ２、Ｑ３に流動状態の防食剤を供給することによって、防食剤の使用量を低減できる。また、防食剤による被膜の形成領域を限定的にすることによって、防食剤による被膜が周囲（コネクタのキャビティ内等）を汚損し難くなるというメリットもある。
【００５３】
＜光照射工程(c)＞
光照射工程(c)では、図５に示すように、防食剤供給工程(b)を実行する最中、スリット光源５０から出射したスリット光５１を、端子付電線１０Ｂに照射する。図６に示すように、スリット光５１の幅は、端子２０の幅よりも大きい。このため、端子２０の幅方向全体に渡ってスリット光５１を照射できる。また、スリット光５１は、端子２０における防食対象領域４０Ａの外側の部分５３（図６中、網掛けで示す部分）に照射されている。この部分５３は、端子２０におけるコンタクト部３０と防食対象領域４０Ａの間の部分となっている。
【００５４】
なお、防食対象領域４０Ａにおける端部に、スリット光５１を照射してもよい。これによって、流動状態の防食剤が、防食対象領域４０Ａからはみ出てしまうことを、より効果的に抑制できる。例えば、図６に示すように、防食対象領域４０Ａのうち、先端側の端部４３（先端側部分Ｑ３付近）にスリット光５１を照射することが考えられる。これによって、流動状態の防食剤がコンタクト部３０の方へ流れ込むことを、より効果的に抑制できる。
【００５５】
また、防食対象領域４０Ａの端部および防食対象領域４０Ａの外側の部分の双方に、スリット光５１を照射することも考えられる。この場合において、図６に示す例のように、防食対象領域４０Ａの端部４３およびその外側の部分５３が、互いに離間していてもよい。この場合、２つのスリット光５１で、それぞれの部分を照射すればよい。また、一つのスリット光５１を、防食対象領域４０Ａの境界部分に跨がるように照射することによって、防食対象領域４０Ａの端部とその外側の部分とを照射することも考えられる。
【００５６】
光照射工程(c)において、端子２０に照射される光の強度は、特に限定されない。防食剤硬化工程(d)において、塗布された防食剤に照射される光の強度と同じであってもよいし、異なっていてもよい。
【００５７】
このように、光照射工程(c)を実行することによって、防食剤が意図しない範囲に広がることを抑制できる。例えば、部分５３にスリット光５１を照射することによって、仮にコンタクト部３０に向けて流動状態の防食剤が流れた場合、部分５３にて硬化させることができる。このため、コンタクト部３０への防食剤が侵入を抑制できる。したがって、コンタクト部３０の電気的接続性能が低下することを容易に抑制できる。
【００５８】
また、スリット光５１を用いるため、端子２０の局所的な位置に光を照射することが容易である。このため、防食対象領域４０Ａにおいて、防食剤が広がる前に固まってしまうことを容易に防止できる。
【００５９】
もちろん、端子２０の他の部分にスリット光５１を照射することも考えられる。例えば、端子２０における防食対象領域４０Ａの外側のうち、基端側の部分にスリット光５１を照射してもよい。また、防食対象領域４０Ａの基端側の端部（基端側端部Ｑ１付近）にスリット光５１を照射してもよい。いずれの場合にも、流動状態の防食剤が、端子２０の基端側の防食を意図しない範囲にまで広がることを抑制できる。
【００６０】
防食剤供給工程(b)にて防食対象領域４０Ａに供給された流動状態の防食剤は、自己の粘度、露出芯線部１４ａに対する防食剤の濡れ性等に応じて、露出芯線部１４ａの表面上にも広がる。そして、それぞれの供給点Ｐ１〜Ｐ１４において供給された流動状態の防食剤が部分Ｑ１、Ｑ２、Ｑ３等の表面上で広がって相互に繋がり、連続する１つの被膜を形成する。ただし、複数点に塗布された流動状態の防食剤を、へら等の部材で均したり、型に当てたりするなどして、相互に繋げて１つの被膜にしてもよい。その後、防食剤の被膜全体に対して光を照射する防食剤硬化工程(d)が実施される。これによって、防食被膜４０が形成されることとなる。
【００６１】
なお、防食剤塗布工程(b)において、端子２０と電線１２の接続部分のまわりを防食剤で包むように塗布してもよい。このような場合でも、光照射工程(c)を実行すれば、意図しない範囲にまで防食剤が広がることを抑制できる。この場合、防食対象領域の端部、その外側の部分、もしくはその双方に対して、例えば端子２０の周り全体にスリット光５１を照射することが考えられる。
【００６２】
＜２．第２実施形態＞
次に、第２実施形態について説明する。なお、以降の説明において、既に説明した要素と同様の機能を有する要素については、同じ符号またはアルファベットを追加した符号を付して、詳細な説明を省略する場合がある。
【００６３】
図７は、第２実施形態に係る防食剤が塗布される端子付電線１０Ｂを示す概略側面図である。本実施形態では、防食剤塗布工程(b)において実行される光照射工程(c)を、光源５０Ａおよび遮光板５５を用いて実現する。光源５０Ａは、流動状態の防食剤を硬化させることが可能な光５１Ａを放射状に出射する。遮光板５５は、光源５０Ａよりも防食対象領域４０Ａに配されており、光源５０Ａから出射された光５１Ａのうち、防食対象領域４０Ａへ照射される光を遮る。
【００６４】
すなわち、本実施形態では、光照射工程(c)が、光源５０Ａから光５１Ａを放射状に出射する工程(c1)と、光源５０Ａから出射された光５１Ａのうち、防食対象領域４０Ａへ照射される光を遮る工程(c2)とを含んでいる。
【００６５】
本実施形態においても、光源５０Ａ及び遮光板５５を適切に配置することによって、仮に流動状態の防食剤が意図しない範囲に向けて流れたとしても、これを硬化させることができる。したがって、防食剤が意図しない範囲にまで広がることを容易に抑制できる。また、光５１Ａが放射状に広がるため、スリット光５１よりも広い範囲に光を照射できる。これによって、防食剤を硬化させてその広がりを抑制する領域を容易に広げることができる。
【００６６】
この発明は詳細に説明されたが、上記した説明は、すべての局面において、例示であって、この発明がそれに限定されるものではない。例示されていない無数の変形例が、この発明の範囲から外れることなく想定され得るものと解される。また、上記各実施形態で説明した各構成は、相互に矛盾しない限り適宜組み合わせたり、省略したりすることができる。
【符号の説明】
【００６７】
１０  端子付電線
１０Ｂ  防食処理前の端子付電線
１２  電線
１４  芯線
１４ａ  露出芯線部
１８  被覆
２０  端子
２２  電線保持部
３０  コンタクト部
３２  端子挿入孔
３３  接触片
４０  防食被膜
４０Ａ  防食対象領域
４３  防食対象領域の端部
５０  スリット光源
５０Ａ  光源
５１  スリット光
５１Ａ  光
５３  防食対象領域の外側の部分
５５  遮光板
８０  相手側端子
Ｐ１−Ｐ１４  供給点
Ｑ  露出表面部分
Ｑ１  基端側部分
Ｑ２  中間部分
Ｑ３  先端側部分
【図１】
2015153717.tif 000003
【図２】
2015153717.tif 000004
【図３】
2015153717.tif 000005
【図４】
2015153717.tif 000006
【図５】
2015153717.tif 000007
【図６】
2015153717.tif 000008
【図７】
2015153717.tif 000009